(57)【要約】【課題】画像読取性能への悪影響を抑止可能な画像読取装置を提供する。【解決手段】画像読取装置としてのＭＦＰ１００は、原稿の画像を読み取る画像読取部７ｂと、画像読取部７ｂを収納する筐体８と、原稿に光を照射する光源７ａとを備えている。筐体８は、筐体８の底面８ａに設けられた光透過部４と、光透過部４に設けられた開閉可能なシャッター５とを含み、光源７ａは、シャッター５が開いた状態の場合に、画像形成後の用紙が排出される胴内排紙トレイ３に対して光透過部４を通じて光を照射する。【選択図】図２
2013197774.tif 000002
【特許請求の範囲】
【請求項１】
原稿の画像を読み取る画像読取部と、
前記画像読取部を収納する筐体と、
前記原稿に光を照射する光源とを備え、
前記筐体は、前記筐体の底面に設けられた光透過部と、前記光透過部に設けられた開閉可能なシャッターとを含み、
前記光源は、前記シャッターが開いた状態の場合に、画像形成後の用紙が排出される排紙部に対して前記光透過部を通して光を照射する、画像読取装置。
【請求項２】
前記画像読取部が前記原稿の画像の読み取りを行う場合に前記シャッターを閉じた状態とし、前記排紙部へ用紙が排出される場合に前記シャッターを開いた状態とするシャッター制御手段をさらに備えた、請求項１に記載の画像読取装置。
【請求項３】
前記画像読取部は、前記画像読取部が前記原稿の画像の読み取りを行わない場合に存在する第１の領域と、前記画像読取部が前記原稿の画像の読み取りを行う場合に存在する第２の領域との間を移動可能であり、
前記画像読取部が前記第２の領域から前記第１の領域へ移動した場合に、前記シャッター制御手段は前記シャッターを閉じた状態から開いた状態に変更する、請求項２に記載の画像読取装置。
【請求項４】
前記シャッター制御手段は、前記シャッターに設けられたラック部と、前記ラック部と噛み合う歯車部とを含み、
前記歯車部は前記第１の領域と前記第２の領域との間での前記画像読取部の移動に連動して回転し、前記シャッターは前記歯車部の回転による力を受けて移動する、請求項３に記載の画像読取装置。
【請求項５】
前記歯車部は、前記第１の領域に存在する移動部であって、前記第１の領域内を移動する前記画像読取部から受ける力によって移動する移動部を含む、請求項４に記載の画像読取装置。
【請求項６】
画像読取装置外の光量が基準値を超える場合に前記シャッターを閉じた状態とすることを決定する第１の閉鎖決定手段をさらに備えた、請求項１に記載の画像読取装置。
【請求項７】
前記画像読取部にて読み取った画像に不具合がある場合に前記シャッターを閉じた状態とすることを決定する第２の閉鎖決定手段と、
前記第２の閉鎖決定手段にて決定した場合に、前記原稿の画像を再度読み取る画像再読取部とをさらに備えた、請求項１または６に記載の画像読取装置。
【請求項８】
前記シャッターの開閉状態を手動にて変更可能である、請求項１〜７のいずれかに記載の画像読取装置。
【請求項９】
前記筐体は、前記筐体の上面に形成された原稿載置面をさらに含み、前記原稿載置面には、前記画像読取部が前記原稿の画像の読み取りを行う場合に前記原稿が載置され、
前記画像読取装置は、
前記原稿載置面に載置された原稿を覆う原稿カバーをさらに備え、
前記原稿カバーの少なくとも一部は光透過性を有する材料よりなる、請求項１〜８のいずれかに記載の画像読取装置。
【請求項１０】
前記原稿カバーは、前記画像読取部が前記原稿の画像の読み取りを行わない場合に存在する第１の領域の上部にある第１の部分と、前記画像読取部が前記原稿の画像の読み取りを行う場合に存在する第２の領域の上部にある第２の部分とを含み、
前記第１の部分の少なくとも一部が光透過性材料よりなり、前記第２の部分全体が光透過性を有さない材料よりなる、請求項９に記載の画像読取装置。
【請求項１１】
前記用紙に対して画像を形成する画像形成部と、
前記排紙部とをさらに備えた、請求項１〜１０のいずれかに記載の画像読取装置。
【発明の詳細な説明】
【技術分野】
【０００１】
本発明は画像読取装置に関し、より特定的には、画像形成後の用紙が排出される排紙部に対して光を照射する画像読取装置に関する。
【背景技術】
【０００２】
電子写真方式を用いた画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
従来、画像形成装置のサイズをコンパクト化するために、胴内排紙型の画像形成装置が提案されている。胴内排紙型の画像形成装置では、装置本体上部と装置本体下部との間に胴内排紙トレイが設けられている。
【０００４】
胴内排紙型の画像形成装置では、胴内排紙トレイにおける排紙された用紙が積載される部分（以降、用紙積載部と呼ぶことがある）が、装置の奥まった位置に存在しており、用紙積載部の上部にはスキャナーが配置されている。このため、用紙積載部が暗くなり、排紙された用紙の視認性が悪化して、用紙積載部から用紙を取り出す際の操作性が低下するという問題があった。
【０００５】
この問題を解決するための技術が、たとえば下記特許文献１および２で提案されている。
【０００６】
たとえば下記特許文献１では、スキャナー筐体の底面に開口部または光透過部を設け、スキャナーの光で胴内排紙部を直接照射する技術が提案されている。下記特許文献２では、光ファイバーをスキャナー内部から底面に引き回して、スキャナーのランプの光を光ファイバーを通して胴内排紙部へ照射することで、視認性を向上する技術が提案されている。
【先行技術文献】
【特許文献】
【０００７】
【特許文献１】特開２００５−１７７８６号公報
【特許文献２】特開２００８−１０７６６６号公報
【発明の概要】
【発明が解決しようとする課題】
【０００８】
しかしながら、特許文献１の技術では、スキャナー底面に設けられた開口部または光透過部から外乱光がスキャナー内部へ入り込み、スキャナーの読取画像性能に悪影響を与える問題があった。また特許文献２の技術では、光ファイバーのように細い導光管を用いて光を導くために、胴内排紙部へ照射される光量が少なく、用紙の視認性が不十分であるという問題があった。加えて、特許文献２の技術では、胴内排紙部へ光を照射するために光ファイバーという特殊な材料よりなる部材を使用するため、コストが高くなるという問題があった。
【０００９】
本発明は、上記課題を解決するためのものであり、その目的は、画像読取性能への悪影響を抑止可能な画像読取装置を提供することである。
【課題を解決するための手段】
【００１０】
本発明の一の局面に従う画像読取装置は、原稿の画像を読み取る画像読取部と、画像読取部を収納する筐体と、原稿に光を照射する光源とを備え、筐体は、筐体の底面に設けられた光透過部と、光透過部に設けられた開閉可能なシャッターとを含み、光源は、シャッターが開いた状態の場合に、画像形成後の用紙が排出される排紙部に対して光透過部を通して光を照射する。
【００１１】
上記画像読取装置において好ましくは、画像読取部が原稿の画像の読み取りを行う場合にシャッターを閉じた状態とし、排紙部へ用紙が排出される場合にシャッターを開いた状態とするシャッター制御手段をさらに備える。
【００１２】
上記画像読取装置において好ましくは、画像読取部は、画像読取部が原稿の画像の読み取りを行わない場合に存在する第１の領域と、画像読取部が原稿の画像の読み取りを行う場合に存在する第２の領域との間を移動可能であり、画像読取部が第２の領域から第１の領域へ移動した場合に、シャッター制御手段はシャッターを閉じた状態から開いた状態に変更する。
【００１３】
上記画像読取装置において好ましくは、シャッター制御手段は、シャッターに設けられたラック部と、ラック部と噛み合う歯車部とを含み、歯車部は第１の領域と第２の領域との間での画像読取部の移動に連動して回転し、シャッターは歯車部の回転による力を受けて移動する。
【００１４】
上記画像読取装置において好ましくは、歯車部は、第１の領域に存在する移動部であって、第１の領域内を移動する画像読取部から受ける力によって移動する移動部を含む。
【００１５】
上記画像読取装置において好ましくは、画像読取装置外の光量が基準値を超える場合にシャッターを閉じた状態とすることを決定する第１の閉鎖決定手段をさらに備える。
【００１６】
上記画像読取装置において好ましくは、画像読取部にて読み取った画像に不具合がある場合にシャッターを閉じた状態とすることを決定する第２の閉鎖決定手段と、第２の閉鎖決定手段にて決定した場合に、原稿の画像を再度読み取る画像再読取部とをさらに備える。
【００１７】
上記画像読取装置において好ましくは、シャッターの開閉状態を手動にて変更可能である。
【００１８】
上記画像読取装置において好ましくは、筐体は、筐体の上面に形成された原稿載置面をさらに含み、原稿載置面には、画像読取部が原稿の画像の読み取りを行う場合に原稿が載置され、画像読取装置は、原稿載置面に載置された原稿を覆う原稿カバーをさらに備え、原稿カバーの少なくとも一部は光透過性を有する材料よりなる。
【００１９】
上記画像読取装置において好ましくは、原稿カバーは、画像読取部が原稿の画像の読み取りを行わない場合に存在する第１の領域の上部にある第１の部分と、画像読取部が原稿の画像の読み取りを行う場合に存在する第２の領域の上部にある第２の部分とを含み、第１の部分の少なくとも一部が光透過性材料よりなり、第２の部分全体が光透過性を有さない材料よりなる。
【００２０】
上記画像読取装置において好ましくは、用紙に対して画像を形成する画像形成部と、排紙部とをさらに備える。
【発明の効果】
【００２１】
本発明によれば、画像読取性能への悪影響を抑止可能な画像読取装置を提供することができる。
【図面の簡単な説明】
【００２２】
【図１】本発明の第１の実施の形態におけるＭＦＰ１００の構成を示すブロック図である。
【図２】本発明の第１の実施の形態におけるＭＦＰ１００の概略的な構成を示す断面図である。
【図３】画像の読み取り時におけるＭＦＰ１００の状態を模式的に示す断面図である。
【図４】用紙の排出時におけるＭＦＰ１００の状態を模式的に示す断面図である。
【図５】本発明の第２の実施の形態におけるスキャナー部２の概略的な構成を示す平面図である。
【図６】図５のＶＩ−ＶＩ線に沿った断面図である。
【図７】本発明の第２の実施の形態において、移動読取部７が領域Ｒ１の読取待機位置に位置している状態を模式的に示す平面図である。
【図８】本発明の第３の実施の形態におけるスキャナー部２の概略的な構成を示す平面図である。
【図９】本発明の第３の実施の形態において、移動読取部７が領域Ｒ１の読取待機位置に位置している状態を模式的に示す平面図である。
【図１０】本発明の第４の実施の形態において、コピージョブを実行する場合のＭＦＰ１００の動作を示すフローチャートである。
【図１１】本発明の第５の実施の形態におけるＭＦＰ１００の概略的な構成を示す断面図である。
【発明を実施するための形態】
【００２３】
以下、本発明の実施の形態について、図面に基づいて説明する。
【００２４】
以下の実施の形態では、画像読取装置がＭＦＰである場合について説明する。画像読取装置はＭＦＰである場合の他、ファクシミリ装置、複写機などのＭＦＰ以外の画像形成装置であってもよい。また、画像読取装置は、プリンターなどの画像形成装置に対して取り付け可能なものであってもよい。
【００２５】
［第１の実施の形態］
図１は、本発明の第１の実施の形態におけるＭＦＰ１００の構成を示すブロック図である。
【００２６】
図１を参照して、ＭＦＰ１００（画像読取装置の一例）は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、記憶部１０４と、プリント処理部１０５と、画像処理部１０６と、操作パネル１０７と、画像読取処理部１０８と、ネットワーク接続部１０９と、シャッター駆動部１１０と、光量計１１１などを備えている。ＣＰＵ１０１には、ＲＯＭ１０２、ＲＡＭ１０３、記憶部１０４、プリント処理部１０５、画像処理部１０６、操作パネル１０７、画像読取処理部１０８、ネットワーク接続部１０９、シャッター駆動部１１０、および光量計１１１の各々がバスを介して接続されている。
【００２７】
ＣＰＵ１０１は、スキャンジョブ、コピージョブ、メール送信ジョブ、およびプリントジョブなどの各種ジョブについて、ＭＦＰ１００全体の制御を行う。またＣＰＵ１０１は、ＲＯＭ１０２に記憶された制御プログラムを実行する。ＣＰＵ１０１は、所定の処理を行うことにより、ＲＯＭ１０２、ＲＡＭ１０３からのデータの読み込みや、ＲＯＭ１０２、ＲＡＭ１０３へのデータの書き込みを行う。
【００２８】
ＲＯＭ１０２は、たとえばフラッシュＲＯＭ（Ｆｌａｓｈ  Ｍｅｍｏｒｙ）である。ＲＯＭ１０２には、ＭＦＰ１００の動作を行うための各種プログラムと、各種固定データとが格納されている。ＲＯＭ１０２は、書換え不可能なものであってもよい。
【００２９】
ＲＡＭ１０３は、ＣＰＵ１０１のメインメモリである。ＲＡＭ１０３は、ＣＰＵ１０１が制御プログラムを実行するときに必要なデータや画像データを一時的に記憶するためなどに用いられる。
【００３０】
記憶部１０４は、たとえばＨＤＤ（Ｈａｒｄ  Ｄｉｓｋ  Ｄｒｉｖｅ）よりなっており、ＭＦＰ１００の動作に関わる各種データなどを記憶する。
【００３１】
プリント処理部１０５は、画像処理部１０６にて処理された画像データに基づいて、画像形成部１を用いて用紙などへのプリント処理を行う。
【００３２】
画像処理部１０６は、印刷データに対するＲＩＰ（Ｒａｓｔｅｒ  ｉｍａｇｅ  ｐｒｏｃｅｓｓｉｎｇ）処理や、データを外部へ送信する際にそのデータの形式を変換する変換処理などを行う。
【００３３】
操作パネル１０７は、テンキーやスタートキーなどからなるキー入力部と、タッチパネルディスプレイなどからなる表示部とを含んでおり、ＭＦＰ１００での各種ジョブの実行などの各種入力操作をユーザーから受け付ける。また操作パネル１０７は、ＭＦＰ１００に関する各種設定項目やメッセージなどをユーザーに対して表示する。
【００３４】
画像読取処理部１０８は、スキャナー部２を用いて原稿画像の読み取りを行う。
【００３５】
ネットワーク接続部１０９は、ＣＰＵ１０１からの指示に従って、ＴＣＰ／ＩＰなどの通信プロトコルによって、外部機器（図示無し）との通信を行う。
【００３６】
シャッター駆動部１１０は、シャッター５を駆動し、シャッター５の開閉動作を制御する。
【００３７】
光量計１１１は、ＭＦＰ１００の外部（たとえば光透過部４付近）の光量を計測する。
【００３８】
図２は、本発明の第１の実施の形態におけるＭＦＰ１００の概略的な構成を示す断面図である。
【００３９】
図２を参照して、ＭＦＰ１００は、ＭＦＰ１００の下部に設けられた画像形成部１と、画像形成部１上に設けられたスキャナー部２と、画像形成部１とスキャナー部２との間に設けられた胴内排紙トレイ３（排紙部の一例）とを主に備えている。画像形成部１内に収納された用紙は、画像形成部１にて画像が形成され、画像形成後の用紙は胴内排紙トレイ３に排出される。
【００４０】
スキャナー部２は原稿の画像を読み取る。スキャナー部２は、光透過部４と、シャッター５と、原稿カバー６と、移動読取部７と、筐体８とを含んでいる。筐体８は、光透過性を有さない材料よりなっており、胴内排紙トレイ３と対向するように胴内排紙トレイ３の上部に配置されている。筐体８の内部には移動読取部７が収納されている。筐体８の底面８ａには光透過部４が設けられている。光透過部４にはシャッター５が設けられており、筐体８の上面８ｂには原稿カバー６が設けられている。
【００４１】
移動読取部７は、画像読取処理部１０８の制御により、筐体８の内部を図２中横方向に移動可能である。移動読取部７は、原稿に光を照射する光源（ランプ）７ａと、光源７ａの反射光を受光することにより原稿の画像を読み取り、読み取った画像を電気信号に変換する画像読取部（撮像素子）７ｂとを本体内に含んでいる。
【００４２】
筐体８の上面８ｂには原稿載置面が形成されており、スキャナー部２で画像を読み取る原稿が載置される。原稿カバー６は筐体８の上面８ｂを開閉可能とされており、筐体８の上面８ｂに載置された原稿を覆う。原稿カバー６は、自動給紙装置を含んでいてもよい。
【００４３】
筐体８の底面８ａの一部には開口部が設けられており、光透過部４はその開口部に嵌め込まれている。光透過部４は、たとえばガラス、プラスチック、または樹脂などの光透過性材料よりなっている。光透過性材料とは、透明または光透過率の高い材料である。
【００４４】
シャッター５は、矢印Ａ１で示す方向に移動することにより、光透過部４を開閉可能である。なお、光透過部４がシャッター５によって覆われずに、外部に開放された状態（シャッター５が光透過部４の真下よりも図２中左側にある状態）を、シャッター５が開いた状態と呼ぶ。光透過部４がシャッター５によって覆われ、外部から遮蔽された状態（シャッター５が光透過部４の真下にある状態）をシャッター５が閉じた状態と呼ぶ。
【００４５】
シャッター５は、画像の読み取り時（画像読取部７ｂが原稿の画像の読み取りを行う時）には閉じた状態とされ、原稿の排出時（胴内排紙トレイ３へ用紙が排出される場合）には開いた状態とされる。
【００４６】
シャッター５の開閉状態は、手動で変更可能であってもよいし、自動で（つまり、シャッター駆動部１１０の制御により）変更可能であってもよい。またシャッター５の開閉状態は、手動および自動の両方で変更可能であってもよい。さらにシャッター５は、手動で閉じた状態となり、自動で開いた状態となるものであってもよいし、自動で閉じた状態となり、手動で開いた状態となるものであってもよい。
【００４７】
シャッター５の開閉状態をシャッター駆動部１１０により自動で変更可能とする場合、シャッター５の開閉動作は、後述するように、移動読取部７の動きに連動するレバー機構などを用いて行ってもよいし、ソレノイドやモーターなどのアクチュエーターを用いて行ってもよいし、その他の方法を用いて行ってもよい。
【００４８】
シャッター５の開閉状態を手動で変更可能とする場合には、装置の構成を簡易化することができ、装置のコストを下げることができる。この場合、たとえばＭＦＰ１００が窓際などの明るすぎる場所に配置され、かつシャッター５が開いた状態でＭＦＰ１００が原稿の画像の読み取りを行うと、読み取った画像に不具合が生じることがある。ユーザーは、用紙に形成された画像に基づいて、読み取った画像に不具合が生じていると判断した場合には、シャッター５を手動で閉じた状態とし、画像の読み取りを再度行ってもよい。ＭＦＰ１００が窓際などに配置された場合には、胴内排紙トレイ３にも十分に光が差し込み、シャッター５を閉めた状態でも用紙の視認性に問題は生じない。
【００４９】
次に、コピージョブの際のＭＦＰ１００の動作について説明する。
【００５０】
図３は、画像の読み取り時におけるＭＦＰ１００の状態を模式的に示す断面図である。
【００５１】
図３を参照して、原稿ｇは、筐体８の上面８ｂに配置され、原稿ｇの上から原稿カバー６が閉じられることにより、ＭＦＰ１００にセットされる。原稿カバー６を閉じることで上面８ｂから筐体８内部へ外乱光が入り込むことを防ぐことができる。原稿ｇがセットされた状態で、ユーザーから操作パネル１０７を通じてコピーの実行指示を受け付けると、画像読取処理部１０８は、光源７ａをオンし、原稿の画像の読み取りを開始する。
【００５２】
移動読取部７は、待機時（画像の読み取りを行わない場合）には、領域Ｒ１に位置している。移動読取部７は、画像の読み取り時（画像の読み取りを行う場合）には、矢印Ａ２で示すように領域Ｒ１からスキャン範囲である領域Ｒ２へ移動し、領域Ｒ２の図３中右端部の位置ＰＴまで移動する。領域Ｒ２を移動する間に画像読取部７ｂは原稿ｇの画像を読み取る。位置ＰＴまで移動した後、移動読取部７は、矢印Ａ３で示すように領域Ｒ２から領域Ｒ１へ戻り、領域Ｒ１の読取待機位置で停止する。
【００５３】
画像の読み取り時には、シャッター５は手動または自動にて閉じた状態とされる。これにより、光透過部４から筐体８内部へＭＦＰ１００外の光（外乱光）Ｌ１が入り込むことを防ぐことができ、安定した読み取り画像の性能が確保される。またシャッター機構があることで、ユーザーは外乱光を気にすることなく、ＭＦＰ１００を窓際などの好きな場所に設置することができる。
【００５４】
図４は、用紙の排出時におけるＭＦＰ１００の状態を模式的に示す断面図である。
【００５５】
図４を参照して、画像の読み取りが完了した後、画像形成部１は、読み取った画像のデータに基づいて用紙に印刷を行い、印刷後の用紙を胴内排紙トレイ３上に排出（積載）する。胴内排紙トレイ３への用紙の排出時には、画像読取部７ｂは画像の読み取り動作を完了しており、移動読取部７は領域Ｒ１の読取待機位置に停止している。
【００５６】
胴内排紙トレイ３への用紙の排出時には、シャッター５は手動または自動で開いた状態とされる。シャッター５が開いた状態の場合には、光源７ａは光透過部４を通して光Ｌ２を胴内排紙トレイ３へ照射する。これにより、用紙の視認性を向上することができ、用紙の取り出し操作性を向上することができる。全ての用紙の排出が完了すると、ＭＦＰ１００は光源７ａをオフする。
【００５７】
光源７ａの光の胴内排紙トレイ３への照射を開始するタイミングは、移動読取部７が領域Ｒ２の図３中右端部まで移動した後（画像の読み取りが完了した後）であればよく、上述のように移動読取部７が読取待機位置に停止した時である場合の他、胴内排紙トレイ３へ用紙を排出する前であってもよいし、胴内排紙トレイ３へ用紙を排出した後であってもよい。
【００５８】
［第２の実施の形態］
本実施の形態では、シャッター駆動部が、移動読取部の動きに連動するレバー機構を用いてシャッターの開閉動作を行う実施例について説明する。
【００５９】
図５および図６は、本発明の第２の実施の形態におけるスキャナー部２の概略的な構成を示す図である。図５および図６では原稿カバーの図示を省略している。図５は、筐体８の上面側から見た平面図であり、図６は図５のＶＩ−ＶＩ線に沿った断面図である。
【００６０】
図５および図６を参照して、スキャナー部２は、筐体８の底面に取り付けられたレバー９（歯車部の一例）をさらに含んでいる。レバー９は、ギヤ部９ａとピン部９ｂ（移動部の一例）とを含んでいる。レバー９はたとえば扇形を有しており、図５中反時計回りの方向に付勢されている。ギヤ部９ａはレバー９の弧の部分に形成されている。ピン部９ｂ（接触部の一例）は筐体８の底面に円弧状に形成された細長穴２ａに挿入されており、筐体８の内部へ突出している。レバー９は、筐体８の底面に形成された軸１６を中心として揺動可能である。
【００６１】
シャッター５は、平面的に見てたとえば矩形状を有している。シャッター５は、直線状の長穴５ａと、矩形状の一辺に設けられたラック部５ｂとを含んでいる。ラック部５ｂはギヤ部９ａと噛み合っている。これにより、ギヤ部９ａは、領域Ｒ１と領域Ｒ２との間での移動読取部７の移動に連動して回転し、シャッター５はギヤ部９ａの回転による力を受けて図５中横方向に移動する。
【００６２】
筐体８は、底面に設けられたガイドレール１０および軸１１をさらに含んでいる。ガイドレール１０はシャッター５の移動方向（図５中横方向）に対して平行に延在しており、筐体８の底面から下方に突出している。ガイドレール１０の先端部はシャッター５側に折れ曲がっている。軸１１は、長穴５ａと係合しており、筐体８の底面から下方に突出している。軸１１の先端部１１ａは大径になっており、シャッター５の上下方向のずれを防止している。このようにシャッター５は、一端がガイドレール１０、他端が軸１１によって、筐体８の底面において図５中横方向に移動可能な状態で配置されている。
【００６３】
移動読取部７は、その本体の底面に設けられたストッパー部７ｃおよび接点１４をさらに含んでいる。ストッパー部７ｃはピン部９ｂと対向している。
【００６４】
筐体８は、移動軸１２と、レール１３とをさらに備えている。移動軸１２は、筐体８内部において図５中横方向に延在しており、移動読取部７の本体に形成された穴７ｄを貫通している。移動軸１２は、移動読取部７の移動方向を規定する。レール１３は、移動読取部７の移動方向（図５中横方向）に対して平行に延在しており、筐体８の底面から移動読取部７へ向かって突出し、接点１４と接触している。
【００６５】
図５では、移動読取部７が領域Ｒ２の位置ＰＴに位置している状態が示されている。この状態では、レバー９は付勢力により反時計回りの向きに回転され、ピン部９ｂは細長穴２ａにおける反時計回り方向の最下流側の端部（細長穴２ａの図５中右端部）と接触し、シャッター５は閉じた状態となる。
【００６６】
図７は、本発明の第２の実施の形態において、移動読取部７が領域Ｒ１の読取待機位置に位置している状態を模式的に示す平面図である。
【００６７】
図７を参照して、画像読取部７ｂが画像の読み取り動作を完了すると、移動読取部が領域Ｒ２から領域Ｒ１へ（図７中左方向へ）移動する。移動読取部７が領域Ｒ１内を移動する際、ストッパー部７ｃはピン部９ｂと接触し、レバー９の付勢力に抗ってピン部９ｂを細長穴２ａにおける反時計回り方向の最上流側の端部（細長穴２ａの図７中左端部）まで押し込む。ピン部９ｂは、移動読取部７から受ける力によって移動し、レバー９は時計回り方向に回転する。その結果、ギヤ部９ａとラック部５ｂとの噛み合いの作用により、ラック部５ｂが図７中左方に直線的に移動し、シャッター５が徐々に開く。移動読取部７が領域Ｒ１の読取待機位置で停止すると、シャッター５は完全に開いた状態となる。この状態では、光源７ａは光透過部４を通して胴内排紙トレイ３へ光を照射する。これにより、用紙の視認性を向上することができ、用紙の取り出し操作性を向上することができる。移動読取部７が読取待機位置にある場合には、画像読取部７ｂは画像の読み取り動作を行っておらず、シャッター５が開いた状態であっても画像読取部７ｂの画像読取性能への悪影響はない。
【００６８】
なお、上述以外のＭＦＰ１００の構成は、第１の実施の形態の場合と同様であるため、その説明は繰り返さない。
【００６９】
［第３の実施の形態］
本実施の形態では、シャッター駆動部が、アクチュエーターを用いてシャッターの開閉動作を行う実施例について説明する。
【００７０】
図８は、本発明の第３の実施の形態におけるスキャナー部２の概略的な構成を示す平面図である。図８では原稿カバーの図示を省略している。
【００７１】
図８を参照して、スキャナー部２は、筐体８の内部の底面に取り付けられたスイッチ１７をさらに含んでいる。スイッチ１７は、領域Ｒ１内において領域Ｒ２側（図８中右側）を向いている。シャッター駆動部１１０は、スイッチ１７が押された場合にシャッター５を開いた状態とし、スイッチ１７が押されていない場合にシャッター５を開いた状態とする。
【００７２】
シャッター５は、平面的に見てたとえば矩形状を有している。シャッター５は、楕円形状を有する長穴５ａを含んでいる。
【００７３】
筐体８は、底面に設けられたガイドレール１０および軸１１をさらに含んでいる。第２の実施の形態と同様に、シャッター５は、一端がガイドレール１０、他端が軸１１によって、筐体８の底面において図８中横方向に移動可能な状態で配置されている。
【００７４】
移動読取部７は、その本体の底面にストッパー部７ｃと、接点１４をさらに含んでいる。ストッパー部７ｃはスイッチ１７と対向している。
【００７５】
筐体８は、移動軸１２と、レール１３とをさらに備えている。移動軸１２は、筐体８内部において図８中横方向に延在しており、移動読取部７の本体に形成された穴７ｄを貫通している。移動軸１２は、移動読取部７の移動方向を規定する。レール１３は、移動読取部７の移動方向（図８中横方向）に対して平行に延在しており、筐体８の底面から移動読取部７へ向かって突出し、接点１４と接触している。
【００７６】
図８では、移動読取部７が領域Ｒ２の位置ＰＴに位置している状態が示されている。この状態では、スイッチ１７は押されておらず、シャッター５は閉じた状態となる。
【００７７】
図９は、本発明の第３の実施の形態において、移動読取部７が領域Ｒ１の読取待機位置に位置している状態を模式的に示す平面図である。
【００７８】
図９を参照して、画像読取部７ｂが画像の読み取り動作を完了すると、移動読取部７が領域Ｒ２から領域Ｒ１へ移動する。移動読取部７が領域Ｒ１の読取待機位置で停止した時に、ストッパー部７ｃはスイッチ１７を押す。シャッター駆動部１１０は、スイッチ１７が押されたことを検知すると、シャッター５を閉じた状態から開いた状態に変更する。この状態では、光源７ａは光透過部４を通して胴内排紙トレイ３へ光を照射する。これにより、用紙の視認性を向上することができ、用紙の取り出し操作性を向上することができる。
【００７９】
なお、上述以外のＭＦＰ１００の構成は、第１の実施の形態の場合と同様であるため、その説明は繰り返さない。
【００８０】
［第４の実施の形態］
本実施の形態では、画像読取装置外の光量が基準値以上である場合、および画像読取部にて読み取った画像に不具合がある場合のうち少なくともいずれか一方の場合に、シャッターを閉じた状態とすることを決定する実施例について説明する。
【００８１】
図１０は、本発明の第４の実施の形態において、コピージョブを実行する場合のＭＦＰ１００の動作を示すフローチャートである。なお、シャッター５は、初期状態では開いた状態であるものとする。
【００８２】
図１０を参照して、たとえば操作パネル１０７を通じてユーザーからコピージョブの実行指示を受け付けると、ＭＦＰ１００のＣＰＵ１０１は、光量計１１１で計測した光量が一定値（基準値）以下であるか否かを判別する（Ｓ１）。
【００８３】
ステップＳ１において、一定値以下であると判別した場合（Ｓ１でＹＥＳ）、ＣＰＵ１０１は、画像読取処理部１０８で原稿の画像を読み取り（Ｓ３）、読み取った画像の濃度やコントラストなどに基づいて、読み取った画像が正常か否かを判別する（Ｓ５）。
【００８４】
ステップＳ５にて、読み取った画像が正常であると判別した場合（Ｓ５でＹＥＳ）、ＣＰＵ１０１は、読み取った画像を画像処理部１０６で処理し、処理した画像をプリント処理部１０５で用紙に印刷し（Ｓ７）、処理を終了する。
【００８５】
ステップＳ３において、一定値を超えていると判別した場合（Ｓ１でＮＯ）、またはステップＳ５において、読み取った画像が正常でないと判別した場合（Ｓ５でＮＯ）、ＭＦＰ１００外からの光が光透過部４を通じて筐体８の内部へ入り込んでいるものと推測される。したがってこの場合、ＣＰＵ１０１はシャッター５を閉じた状態とすることを決定する（Ｓ２１）。
【００８６】
ステップＳ２１において、シャッター５を閉じた状態とすることを決定した場合、ＣＰＵ１０１は、たとえば「シャッターを閉じて下さい」などのメッセージを操作パネル１０７に表示することで、手動でシャッター５を閉じることをユーザーに要求してもよいし、シャッター駆動部１１０が自動でシャッター５を閉めてもよい。
【００８７】
シャッター５が閉じた状態とされた後で、ＣＰＵ１０１は、原稿の画像を読み取る（読み取った画像が正常でなかった場合には、原稿の画像を再度読み取る）（Ｓ２３）。次にＣＰＵ１０１は、読み取った画像を画像処理部１０６で処理し、処理した画像をプリント処理部１０５で用紙に印刷する（Ｓ２５）。その後ＣＰＵ１０１は、胴内排紙トレイ３に用紙を排出する前に、シャッター５を開くことを決定し（Ｓ２７）、処理を終了する。
【００８８】
ステップＳ２７において、シャッター５を開くことを決定した場合、ＣＰＵ１０１は、たとえば「シャッターを開いて下さい」などのメッセージを操作パネル１０７に表示することで、手動でシャッター５を開くことをユーザーに要求してもよいし、シャッター駆動部１１０が自動でシャッター５を開いてもよい。
【００８９】
なお、上述以外のＭＦＰ１００の構成は、第１の実施の形態の場合と同様であるため、その説明は繰り返さない。
【００９０】
［第５の実施の形態］
本実施の形態では、原稿カバーの少なくとも一部が光透過性を有する材料よりなる実施例について説明する。
【００９１】
図１１は、本発明の第５の実施の形態におけるＭＦＰ１００の概略的な構成を示す断面図である。
【００９２】
図１１を参照して、原稿カバー６は、領域Ｒ１の読取待機位置の上部付近の部分６ａと、領域Ｒ２の上部にある部分６ｂとを含んでいる。部分６ａの少なくとも一部は、光透過性材料よりなっており、部分６ｂは、全体が光透過性を有さない材料よりなっている。
【００９３】
本実施の形態によれば、移動読取部７が領域Ｒ１の読取待機位置に位置している場合に、光源７ａは光透過部４を通して光Ｌ２を胴内排紙トレイ３へ照射するとともに、部分６ａを通して光りＬ３をＭＦＰ１００の上方へ照射する。これにより、用紙が胴内排紙トレイ３へ排出されることを、光を用いてユーザーに通知することができ、ユーザーは用紙の回収し忘れを防止することができる。なお、原稿カバー６全体が光透過性材料よりなっていてもよい。
【００９４】
なお、上述以外のＭＦＰ１００の構成は、第１の実施の形態の場合と同様であるため、その説明は繰り返さない。
【００９５】
［実施の形態の効果］
上述の実施の形態によれば、原稿の排出時には、光透過部を通して光源の光で胴内排紙トレイを照射することにより、用紙積載部から用紙を取り出す際の操作性を向上することができる。原稿の読み取り時には、シャッターが閉じた状態とされるので、外乱光が筐体の内部へ入り込むことを防ぐことができ、画像読取部の画像読取性能への外乱光による悪影響を抑止することができる。また、光ファイバーを用いて光を導く必要が無いため、用紙の視認性を向上することができ、コストを低減することができる。
【００９６】
［その他］
上述の実施の形態は適宜組み合わせることができる。たとえば、第５の実施の形態の原稿カバーの構成を第１〜第４の実施の形態のＭＦＰの構成に組み合わせてもよい。
【００９７】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【００９８】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９９】
１  画像形成部
２  スキャナー部
２ａ  細長穴
３  胴内排紙トレイ
４  光透過部
５  シャッター
５ａ  長穴
５ｂ  ラック部
６  原稿カバー
６ａ，６ｂ  原稿カバーの一部分
７  移動読取部
７ａ  光源
７ｂ  画像読取部
７ｃ  ストッパー部
７ｄ  穴
８  筐体
８ａ  筐体底面
８ｂ  筐体上面
９  レバー
９ａ  ギヤ部
９ｂ  ピン部
１０  ガイドレール
１１  軸
１１ａ  軸先端部
１２  移動軸
１３  レール
１４  接点
１６  軸
１７  スイッチ
１００  ＭＦＰ
１０１  ＣＰＵ
１０２  ＲＯＭ
１０３  ＲＡＭ
１０４  記憶部
１０５  プリント処理部
１０６  画像処理部
１０７  操作パネル
１０８  画像読取処理部
１０９  ネットワーク接続部
１１０  シャッター駆動部
１１１  光量計
ｇ  原稿
Ｌ１，Ｌ２  光
ＰＴ  位置
Ｒ１，Ｒ２  領域
【図１】
2013197774.tif 000003
【図２】
2013197774.tif 000004
【図３】
2013197774.tif 000005
【図４】
2013197774.tif 000006
【図５】
2013197774.tif 000007
【図６】
2013197774.tif 000008
【図７】
2013197774.tif 000009
【図８】
2013197774.tif 000010
【図９】
2013197774.tif 000011
【図１０】
2013197774.tif 000012
【図１１】
2013197774.tif 000013